(57)【要約】【課題】関節の動きを改善するために用いることが可能なテーピングテープを提供する。【解決手段】テーピングテープ１は、テープ基材と、当該テープ基材の一方の主面上に配置された粘着層とを備える。テープ基材は、曲線状の外周部２ａを含む外縁部分２と、当該外縁部分２に連なり外縁部分２から離れるように延びる本体部分３とを含む。この場合、人体の関節（たとえば肩関節、あるいは股関節など）において当該関節を曲げたときに発生する曲線状の皺に外周部２ａが沿うように、外縁部分２を当該関節近傍に貼付するとともに、本体部分３を皺から離れる方向へと引張った状態で人体に貼付できる。【選択図】図１
2017018247.tif 000002
【特許請求の範囲】
【請求項１】
テープ基材と、
前記テープ基材の一方の主面上に配置された粘着層とを備え、
前記テープ基材は、
曲線状の外周部を含む外縁部分と、
前記外縁部分に連なり前記外縁部分から離れるように延びる本体部分とを含む、テーピングテープ。
【請求項２】
テープ基材と、
前記テープ基材の一方の主面上に配置された粘着層とを備え、
前記テープ基材は、
直線状の外周部を含む外縁部分と、
前記外縁部分に連なり前記外縁部分から離れるように延びる本体部分とを含む、テーピングテープ。
【請求項３】
前記本体部分は複数の分岐部分を含む、請求項１または２に記載のテーピングテープ。
【請求項４】
前記本体部分は、前記外縁部分の中央から前記本体部分の延びる方向に沿って延びる中心軸から見て非対称な形状となっている、請求項１〜３のいずれか１項に記載のテーピングテープ。
【請求項５】
前記外縁部分は、前記外周部から内側に向かう切り込み部を含む、請求項１〜４のいずれか１項に記載のテーピングテープ。
【請求項６】
前記テープ基材では、前記本体部分に開口部が形成されている、請求項１〜５のいずれか１項に記載のテーピングテープ。
【請求項７】
前記本体部分には、前記開口部が複数形成されている、請求項６に記載のテーピングテープ。
【請求項８】
前記開口部の平面形状はスリット状である、請求項６または７に記載のテーピングテープ。
【請求項９】
前記本体部分は、前記本体部分が延びる方向に垂直な方向における幅が前記外縁部分から離れるほど広くなっている、請求項１〜８のいずれか１項に記載のテーピングテープ。
【請求項１０】
他のテープ基材と、
前他のテープ基材の一方の主面上に配置された他の粘着層とを備え、
前記他のテープ基材は、
曲線状または直線状の外周部を含む他の外縁部分と、
前記他の外縁部分に連なり前記他の外縁部分から離れるように延びる他の本体部分とを含み、さらに、
前記テープ基材と前記他のテープ基材とを接続する接続部を備える、請求項１〜９のいずれか１項に記載のテーピングテープ。
【請求項１１】
前記接続部は、前記テープ基材の前記本体部分と前記他のテープ基材の前記他の本体部分とを接続する、請求項１０に記載のテーピングテープ。
【請求項１２】
前記接続部は、前記テープ基材の前記外縁部分と前記他のテープ基材の前記他の外縁部分とを接続する、請求項１０に記載のテーピングテープ。
【請求項１３】
請求項１〜１２のいずれか１項に記載のテーピングテープと、
前記テーピングテープが前記粘着層を介して着脱可能に接続されたシート部材とを備えた、テープ部材。
【請求項１４】
前記シート部材は、前記本体部分の延びる方向において、前記テーピングテープの前記外縁部分側の端部から、前記方向における前記テーピングテープの長さの５０％となる位置より近い位置において分割されている、請求項１３に記載のテープ部材。
【請求項１５】
前記シート部材は、前記本体部分の延びる方向において、前記テーピングテープの前記本体部分側の端部から、前記方向における前記テーピングテープの長さの５０％となる位置より近い位置において分割されている、請求項１４に記載のテープ部材。
【発明の詳細な説明】
【技術分野】
【０００１】
この発明は、テーピングテープおよびテープ部材に関する。
【背景技術】
【０００２】
従来、医療の一環やスポーツ時の障害防止の目的のため、関節などを固定するように用いられるテーピングテープが知られている（たとえば、特開２００６−１３０１６５号公報参照）。
【先行技術文献】
【特許文献】
【０００３】
【特許文献１】特開２００６−１３０１６５号公報
【発明の概要】
【発明が解決しようとする課題】
【０００４】
ここで、発明者は皮膚運動学の見地から、テーピングテープを関節近傍などに貼付することで当該関節の動きを改善する、あるいは可動域を広げるといった可能性に着目した。ところが、上述のように従来のテーピングテープは関節などの固定を主な目的として利用されており、上述のような関節の動きを改善する、あるいは可動域を広げるといった機能を発揮させるために適したテーピングテープは従来存在していなかった。
【０００５】
この発明は、上記のような課題を解決するためになされたものであり、この発明の目的は、関節の動きを改善するために用いることが可能なテーピングテープおよびテープ部材を提供することである。
【課題を解決するための手段】
【０００６】
この発明に従ったテーピングテープは、テープ基材と、当該テープ基材の一方の主面上に配置された粘着層とを備える。テープ基材は、曲線状の外周部を含む外縁部分と、当該外縁部分に連なり外縁部分から離れるように延びる本体部分とを含む。
【０００７】
この発明に従ったテーピングテープは、テープ基材と、テープ基材の一方の主面上に配置された粘着層とを備える。テープ基材は、直線状の外周部を含む外縁部分と、当該外縁部分に連なり外縁部分から離れるように延びる本体部分とを含む。
【０００８】
この発明に従ったテープ部材は、上記テーピングテープと、当該テーピングテープが粘着層を介して着脱可能に接続されたシート部材とを備える。
【発明の効果】
【０００９】
本発明によれば、関節の動きを改善するために用いるテーピングテープを得ることができる。
【図面の簡単な説明】
【００１０】
【図１】本実施形態に係るテーピングテープの平面模式図である。
【図２】本実施形態に係るテーピングテープの第１変形例の平面模式図である。
【図３】図１および図２に示したテーピングテープの使用状態を説明するための模式図である。
【図４】図１に示したテーピングテープを含むテープ部材の平面模式図である。
【図５】図４の線分Ｖ−Ｖにおける断面模式図である。
【図６】図１に示したテーピングテープを含むテープ部材の変形例の平面模式図である。
【図７】本実施形態に係るテーピングテープの第２変形例の平面模式図である。
【図８】本実施形態に係るテーピングテープの第３変形例の平面模式図である。
【図９】本実施形態に係るテーピングテープの第４変形例の平面模式図である。
【図１０】本実施形態に係るテーピングテープの第５変形例の平面模式図である。
【図１１】本実施形態に係るテーピングテープの第６変形例の平面模式図である。
【図１２】本実施形態に係るテーピングテープの第７変形例の平面模式図である。
【図１３】本実施形態に係るテーピングテープの第８変形例の平面模式図である。
【図１４】本実施形態に係るテーピングテープの第９変形例の平面模式図である。
【図１５】本実施形態に係るテーピングテープの第１０変形例の平面模式図である。
【図１６】本実施形態に係るテーピングテープの使用状態を説明するための模式図である。
【図１７】本実施形態に係るテーピングテープの使用状態を説明するための模式図である。
【図１８】本実施形態に係るテーピングテープの第１の変形例の使用状態を説明するための模式図である。
【図１９】本実施形態に係るテーピングテープの第２の変形例の使用状態を説明するための模式図である。
【図２０】図１９に示したテーピングテープの平面模式図である。
【発明を実施するための形態】
【００１１】
以下、図面に基づいて本発明の実施の形態を説明する。なお図面において同一または相当する部分には同一の参照番号を付しその説明は繰返さない。
【００１２】
（実施の形態１）
＜テーピングテープの形状＞
図１は、本実施形態に係るテーピングテープを示す平面模式図である。本実施形態に係るテーピングテープ１は、図１に示すようにテープ基材１ａと、当該テープ基材１ａの一方の主面上に配置された粘着層（図示せず）とを備える。テープ基材１ａは、図１に示すように曲線状の外周部２ａを含む外縁部分２と、当該外縁部分２に連なり外縁部分２から離れるように延びる本体部分３とを含む。曲線状の外周部２ａは、本体部分３側に凹んだ曲線状の形状を有し、たとえば円弧状であってもよい。この場合、円弧状の外周部２ａの曲率半径は２０ｍｍ以上８０ｍｍ以下としてもよい。なお、外周部２ａの形状は、後述するように使用対象の皮溝１２（図３参照）とほぼ平行になるように設定することが好ましい。たとえば、肩関節や股関節、首関節など関節によって皮溝（皺）の形状は異なるため、それぞれの関節に適合するような外周部２ａの形状とすることが好ましい。
【００１３】
また、本体部分３の外周部のうち、本体部分３の延びる方向に沿った側部は内側に凸の曲線状となっている。また、本体部分３は外縁部分２の外周部２ａから離れるにしたがって幅（本体部分３の延びる方向に対して垂直な方向における幅）が狭くなっている。
【００１４】
図２は、図１に示したテーピングテープ１の第１変形例の平面模式図である。図２に示したテーピングテープ１は、基本的には図１に示したテーピングテープ１と同様の構成を備え、同様の効果を得ることができるが、外周部２ａの形状が図１に示したテーピングテープと異なっている。図２に示したテーピングテープ１では、外周部２ａがテーピングテープ１の外側に凸の曲線状となっている。また、本体部分３の外周部のうち、本体部分３の延びる方向に沿った側部は外側に凸の曲線状となっている。
【００１５】
＜テーピングテープの使用状態＞
図３は、図１および図２に示したテーピングテープ１の使用状態を説明した模式図であり、テーピングテープ１を右肩１１の関節の近傍に貼付した状態を示している。具体的には、右手を上げたときに肩関節の部分にできるしわ（皮溝１２）に沿うように、図１のテーピングテープ１の外周部２ａを配置するとともに、当該テーピングテープ１の本体部分３を右手の肘側に延びるように配置する。このとき、テーピングテープ１では先に外縁部分２を皮膚に貼付したうえで、本体部分３を矢印１４に示す方向に引張りながら皮膚に貼り付ける。
【００１６】
また、図２に示したテーピングテープ１については、皮溝１２に沿うように外周部２ａを配置するとともに、テーピングテープ１の本体部分３を背中側に延びるように配置する。このとき、テーピングテープ１では先に外縁部分２を皮膚に貼付したうえで、本体部分３を矢印１３に示す方向に引張りながら皮膚に貼り付ける。
【００１７】
＜テーピングテープの作用効果＞
上述したテーピングテープ１は、テープ基材１ａと、当該テープ基材１ａの一方の主面上に配置された粘着層とを備える。テープ基材１ａは、曲線状の外周部２ａを含む外縁部分２と、当該外縁部分２に連なり外縁部分２から離れるように延びる本体部分３とを含む。
【００１８】
この場合、人体の関節（たとえば図３に示す肩関節、あるいは股関節など）において当該関節を曲げたときに発生する曲線状の皺（皮溝１２）に外周部２ａが沿うように、外縁部分２を当該関節近傍に貼付するとともに、本体部分３を皮溝１２から離れる方向へと引張った状態で人体に貼付できる。このようにすれば、テーピングテープ１が貼付された人体の表面が有毛部であれば、毛根が皮溝１２から離れる方向（図３における矢印１３または矢印１４により示した方向）へと引張られた状態とすることができる。この結果、テーピングテープ１が貼付された部分において、人体表面の皮膚に存在する固有受容器が、毛根が引張られている方向（皮溝１２から離れる方向）に皮膚が引張られていると感知する。その結果、皮下の浅層筋膜と浅層筋膜下の筋肉との間での滑走が促進される。つまり、関節を動かすときに発生する浅層筋膜と当該浅層筋膜下の筋肉との間の滑走を促進することにより、当該関節を動かしやすくする（あるいは可動域を広げる）ことができる。
【００１９】
＜テープ部材の構成＞
図４および図５に示すように、テーピングテープ１はシート部材２２に貼り付けられたテープ部材２０として流通させることができる。具体的には、テーピングテープ１はテープ基材１ａの一方の主面に配置された粘着層１ｂを備え、当該粘着層１ｂがシート部材２２に着脱可能に貼付されている。シート部材２２は、本体部分３の延びる方向において、テーピングテープ１の外縁部分２側の端部から、上記方向におけるテーピングテープ１の長さＬの２５％となる位置（外縁部分２側の端部から距離Ｌ１の位置：なお距離Ｌ１＝距離Ｌ×０．２５）において分割されている。異なる観点から言えば、シート部材２２は、外縁部分２側の端部から距離Ｌ１の位置に分割部２１が形成されている。シート部材２２は、分割部２１によりシート部材部分２２ａ、２２ｂの２つの部分に分割されている。なお、上記距離Ｌ１はテーピングテープ１の長さ（図４の距離Ｌ）の５％以上５０％以下の長さであってもよい。また、上記距離Ｌ１の下限はテーピングテープ１の長さ（距離Ｌ）の１０％でもよく、１５％であってもよい。また、上記距離Ｌ１の上限はテーピングテープ１の長さ（距離Ｌ）の４５％であってもよく、４０％であってもよく、３５％でもよく、３０％でもよく、２０％であってもよい。
【００２０】
上述したテープ基材１ａの材料としては、テーピングテープ１にとり重要である追従性や固定性などの久賀を良好に発揮できる弾性および伸縮性を有し、さらに上記のような本体部分３を伸ばして皮膚に貼付することにより皮膚に一定の応力を加える特性（キックバック性）を有する材料であれば、任意の材料を用いることができる。たとえば、テープ基材１ａの材料として、ナイロン、ポリエステル、ポリウレタン、レーヨン、ポリプロピレン、ポリエチレン、繊維（たとえば綿など）からなる強撚布、不織布、編布、および伸縮性を有するシート材や布、縦糸に伸縮性の意図を用いたタテ伸び布、横糸および縦糸に伸縮性の糸を用いた伸縮布などを用いることができる。さらに、テープ基材１ａの材料として、ナイロン、ポリエステル、綿などの繊維に特殊加工を施して伸縮性を持たせたストレッチヤーンや、ポリウレタン系弾性糸等の伸縮性の大きい合繊糸を単独で編成した編物地、またはこのような合繊糸とポリエステル繊維や綿などの伸縮性の小さい繊維をごン号して編成した編布を用いることができる。また、上述したポリウレタンを構成するウレタンについては、エーテル系、エステル系の一般的なものを用いることができ、特に制限は無い。
【００２１】
また、上述した粘着層１ｂを構成する粘着剤は、一般的亜テーピング用粘着部材の分野で公知の物を用いることができる。たとえば、アクリル系粘着剤、天然ゴム系粘着剤、合成ゴム系粘着剤、ビニールエーテル系粘着剤、シリコーン系粘着剤、などを用いることができる。また、シート部材２２の材料としては、紙や樹脂など従来周知の材料を用いることができる。
【００２２】
＜テープ部材の作用効果＞
上述したテープ部材２０は、上記テーピングテープ１と、当該テーピングテープ１が粘着層１ｂを介して着脱可能に接続されたシート部材２２とを備える。この場合、テーピングテープ１がシート部材２２に貼付されているので、テーピングテープ１の取り扱いを容易にすることができる。
【００２３】
また、テープ部材２０において、シート部材２２は、本体部分３の延びる方向において、テーピングテープ１の外縁部分２側の端部から、上記方向におけるテーピングテープ１の長さの５０％となる位置より近い位置（たとえば、当該テーピングテープ１の長さの２５％、あるいは２５％以下となる位置（外縁部分２側の端部から距離Ｌ１の位置））において分割されている。
【００２４】
この場合、シート部材２２において外縁部分２側に位置する部分（シート部材部分２２ａ）を先にテーピングテープ１から引き剥がし、露出した粘着層１ｂを人体の関節の皮溝１２に隣接する部分に容易に貼付することができる。その後、シート部材２２の残りの部分（本体部分と重なるように配置されているシート部材部分２２ｂ）と本体部分３とを指で把持して、皮溝１２から離れる方向に容易に引張ることができる。その後、残りのシート部材部分２２ｂをテーピングテープ１から剥がし、本体部分３を皮溝１２から離れる方向に引張った状態で人体に容易に貼付することができる。
【００２５】
＜テープ部材の変形例の構成および作用効果＞
図６に示すテープ部材２０は、基本的に図４および図５に示したテープ部材２０と同様の構成を備え、同様の効果を得ることができるが、シート部材２２が３つの部分（シート部材部分２２ａ〜２２ｃ）に分割されている点が図４および図５に示したテープ部材２０と異なっている。すなわち、シート部材２２は、テーピングテープ１の本体部分３の延びる方向において、テーピングテープ１の本体部分３側の端部から、上記方向におけるテーピングテープ１の長さ（図６の距離Ｌ、以下、単に長さＬとも言う）の５０％となる位置より近い位置（本体部分３側の端部から距離Ｌ２の位置である分割部２３）において分割されている。
【００２６】
この場合、テーピングテープ１の本体部分３側の端部に位置するシート部材２２のシート部材部分２２ｃを本体部分３と一緒に指で把持して本体部分３を引張りながら、本体部分３下のシート部材部分２２ｂを先にテーピングテープ１から除去することができる。そのため、本体部分３を引張った状態でテーピングテープ１の本体部分３を人体に容易に貼付することができる。
【００２７】
なお、上記距離Ｌ２はテーピングテープ１の長さＬの５％以上４５％以下の長さであってもよい。また、上記距離Ｌ２の下限はテーピングテープ１の長さＬの１０％でもよく、１５％であってもよい。また、上記距離Ｌ２の上限はテーピングテープ１の長さＬの４０％であってもよく、３５％であってもよく、３０％でもよく、２５％でもよく、２０％でもよく、１５％であってもよい。
【００２８】
＜テーピングテープの他の変形例の構成および作用効果＞
図７に示す本実施形態に係るテーピングテープの第２変形例は、基本的には図１に示したテーピングテープ１と同様の構成を備え、同様の効果を得ることができるが、本体部分３の形状が図１に示したテーピングテープと異なっている。すなわち、図７に示したテーピングテープでは、本体部分３は複数（図７では３つ）の分岐部分３ａ〜３ｃを含んでいる。この場合、当該テーピングテープ１を図３に示すように関節近傍に貼付したときに、関節の皺（皮溝１２）から離れる複数の方向に対して、人体表面の皮膚が引張られていると皮膚の固有受容器に感知させることができる。このため、関節に隣接する部分において浅層筋膜と筋肉との滑走を複数方向において促進することができる。
【００２９】
図８に示す本実施形態に係るテーピングテープの第３変形例は、基本的には図７に示したテーピングテープ１と同様の構成を備え、同様の効果を得ることができるが、本体部分３の形状が図７に示したテーピングテープと異なっている。すなわち、図８に示したテーピングテープ１では、本体部分３が２つの分岐部分３ａ、３ｂに分岐しているとともに、これらの分岐部分３ａ、３ｂの形状が異なっている。異なる観点から言えば、本体部分３は、外縁部分２の中央から本体部分３の延びる方向（ここでは分岐部分３ａ、３ｂのそれぞれの延びる方向のちょうど中間に位置する方向）に沿って延びる中心軸から見て非対称な形状となっている。この場合、たとえば関節まわりの筋肉の配置が、当該関節にできる皺（皮溝１２）の中心を通り当該皺に交差する方向に延びる線分から見て非対称な状態であっても、当該筋肉の配置に応じてテーピングテープ１の本体部分３を人体に貼付することができる。
【００３０】
図９に示す本実施形態に係るテーピングテープの第４変形例は、基本的には図１に示したテーピングテープ１と同様の構成を備え、同様の効果を得ることができるが、外縁部分２の形状が図１に示したテーピングテープと異なっている。すなわち、図９に示したテーピングテープ１では、外縁部分２の外周部２ａにおいて切り込み部４が形成されている。この場合、体型に応じてテーピングテープに皺が出にくいという効果を得ることができる。
【００３１】
図１０に示す本実施形態に係るテーピングテープの第５変形例は、基本的には図１に示したテーピングテープ１と同様の構成を備え、同様の効果を得ることができるが、外周部２ａの形状および本体部分３の形状が図１に示したテーピングテープと異なっている。すなわち、図１０に示したテーピングテープ１では、外周部２ａが直線状になっている。さらに、本体部分３の外周形状が外側に凸の曲線状となっている。また異なる観点から言えば、テーピングテープ１は、テープ基材１ａ（図５参照）と、テープ基材１ａの一方の主面上に配置された粘着層１ｂ（図５参照）とを備える。テープ基材１ａは、直線状の外周部２ａを含む外縁部分２と、当該外縁部分２に連なり外縁部分２から離れるように延びる本体部分３とを含む。
【００３２】
このようなテーピングテープ１は、適用される関節において形成される皮溝（皺）が直線状であるような場合に、直線状の皺に外周部２ａを添わせるように容易に配置できる。さらに、本体部分３の外周形状が外側に凸の曲線状となっているため、外周部２ａに対して垂直以外の角度方向にも本体部分３を引張りながらテーピングテープ１を皮膚に貼り付けることができる。
【００３３】
図１１に示す本実施形態に係るテーピングテープの第６変形例は、基本的には図１に示したテーピングテープ１と同様の構成を備え、同様の効果を得ることができるが、本体部分３の形状が図１に示したテーピングテープと異なっている。すなわち、図１１に示したテーピングテープでは、本体部分３に開口部５が形成されている。開口部５の形状は任意の形状とすることができるが、たとえば図１１に示すように本体部分３の延在方向に沿った長軸を有する形状（たとえば楕円形状や長方形状など）であってもよい。
【００３４】
この場合、本体部分３をより変形させやすくできるので、当該テーピングテープ１を貼付する人体の表面形状の個人差があっても、当該本体部分３を変形させることで容易に当該個人差にテーピングテープの形状を適合させることができる。
【００３５】
図１２に示す本実施形態に係るテーピングテープの第７変形例は、基本的には図１１に示したテーピングテープ１と同様の構成を備え、同様の効果を得ることができるが、本体部分３の形状が図１１に示したテーピングテープと異なっている。すなわち、図１２に示したテーピングテープでは、本体部分３に複数の開口部５ａ〜５ｃが形成されている。複数の開口部５ａ〜５ｃについては、個々の開口部５ａ〜５ｃの形状やサイズが同じであってもよいが異なっていてもよい。また、図１２に示すように、本体部分３の中央部に位置する開口部５ｂが相対的に大きな径を有し、本体部分３の端部側に位置する開口部５ａ、５ｃが相対的に小さな径を有していてもよい。この場合、本体部分３をより容易に変形させることができる。
【００３６】
図１３に示す本実施形態に係るテーピングテープの第８変形例は、基本的には図１２に示したテーピングテープ１と同様の構成を備え、同様の効果を得ることができるが、本体部分３の形状が図１２に示したテーピングテープと異なっている。すなわち、図１３に示したテーピングテープでは、複数の開口部として５つの開口部５ａ〜５ｅが形成されるとともに、開口部５ａ〜５ｅの平面形状がスリット状（あるいは矩形状）である。このようにすれば、本体部分３において変形しやすくする方向を当該スリット状の開口部５ａ〜５ｅの延びる方向により規定することができる。
【００３７】
図１４に示す本実施形態に係るテーピングテープの第９変形例は、基本的には図１に示したテーピングテープ１と同様の構成を備え、同様の効果を得ることができるが、本体部分３の形状が図１に示したテーピングテープと異なっている。すなわち、図１４に示したテーピングテープでは、外縁部分２の外周部２ａの幅Ｗ１より、本体部分３の先端部側の幅Ｗ２の方が大きくなっている。また、異なる観点から言えば、テーピングテープ１において、本体部分３は、本体部分３が延びる方向に垂直な方向における幅が外縁部分２から離れるほど広くなっている。この場合、テーピングテープ１が隣接して貼付される皺の幅よりもより広い幅を有する領域の筋肉に対して、浅層筋膜との滑走を促進することができる。
【００３８】
図１５に示す本実施形態に係るテーピングテープの第１０変形例は、基本的には図１および図１に示したテーピングテープ１と同様の構成を備え、同様の効果を得ることができるが、図１に示したテーピングテープ１と図２に示したテーピングテープ１とを接続部３３、３４により接続している点が図１および図２に示したテーピングテープと異なっている。すなわち、図１５に示したテーピングテープでは図１に示したテーピングテープに対応するテープ部分３１の外周部２ａと、図２に示したテーピングテープに対応するテープ部分３２の外周部２ａとが間隔を隔てて対向するようにテープ部分３１、３２が配置されるとともに、上記２つの外周部２ａの対向する両端をつなぐように２つの接続部３３、３４が形成されている。
【００３９】
また、異なる観点から言えば、図１５に示したテーピングテープ１は、図１に示したテーピングテープと同様の構成を備えるテープ部分３１と、他のテープ基材と当該他のテープ基材の一方の主面上に配置された他の粘着層とからなるテープ部分３２とを備えている。テープ部分３２における他のテープ基材は、曲線状または直線状の外周部２ａ（図１５では曲線状の外周部２ａ）を含む他の外縁部分２と、当該他の外縁部分２に連なり他の外縁部分２から離れるように延びる他の本体部分３とを含む。さらに、テーピングテープ１は、テープ部分３１のテープ基材とテープ部分３２の他のテープ基材とを接続する接続部３３、３４を備えている。
【００４０】
この場合、１つの関節（たとえば図３における右肩１１の関節）の両側に位置する領域に対して、接続部３３、３４と１組の外周部２ａとにより囲まれる領域に皺が配置されるように１つのテーピングテープ１を貼付することができる。この結果、皺の両側においてテーピングテープを容易に貼付することができる。
【００４１】
また、異なる観点から言えば、上記テーピングテープ１において、接続部３３、３４は、テープ部分３１のテープ基材の外縁部分２と、テープ部分３２における他のテープ基材の他の外縁部分２とを接続する。この場合、テープ部分３１の外縁部分２とテープ部分３２の他の外縁部分２とを１つの皺に隣接するように（たとえば１つの皮溝１２を両側から挟むように）配置することができる。
【００４２】
（実施の形態２）
＜テーピングテープの形状および使用状態＞
図１６を参照して、本実施形態におけるテーピングテープおよびその使用状態を説明する。図１６に示すように、本実施形態に係るテーピングテープ１は首４１の関節に対して適用される。具体的には、首４１の後側における皮溝１２（皺）に沿って、テーピングテープ１の外周部２ａが配置されるとともに、本体部分３は皮溝１２から離れるように（背中に向かって）引張られた状態で貼付される。
【００４３】
なお、図１６に示したテーピングテープ１は、本体部分３が外周形状が外側に凸の曲線状であり、外周部２ａが曲線状であるが、実施の形態１において説明した変形例の任意の構成を適宜組み合わせて適用することができる。
【００４４】
また、図１６に示したテーピングテープ１において、曲線状の外周部２ａは、本体部分３側に凹んだ曲線状の形状を有し、たとえば円弧状である。この場合、円弧状の外周部２ａの曲率半径は５０ｍｍ以上８０ｍｍ以下としてもよい。
【００４５】
＜テーピングテープの作用効果＞
このようにすれば、図１〜図３に示したテーピングテープ１と同様に、首４１の関節を動かしやすくする（あるいは可動域を広げる）ことができる。
【００４６】
（実施の形態３）
＜テーピングテープの形状および使用状態＞
図１７を参照して、本実施形態におけるテーピングテープおよびその使用状態を説明する。図１７に示すように、本実施形態に係るテーピングテープ１は、股関節に対して適用される。具体的には、股関節の前方側の皮溝１２（皺）に沿って、テーピングテープ１の外周部２ａが配置されるとともに、本体部分３は皮溝１２から離れるように（足先に向かって）引張られた状態で貼付される。なお、テーピングテープ１の外周部２ａの形状は図１７に示すように直線状である。
【００４７】
また、図１７に示したテーピングテープ１は、本体部分３が外周形状が外側に凸の曲線状であり、外周部２ａが直線状であるが、実施の形態１において説明した変形例の任意の構成を適宜組み合わせて適用することができる。
【００４８】
＜テーピングテープの作用効果＞
このようにすれば、図１〜図３に示したテーピングテープ１と同様に、股関節を動かしやすくする（あるいは可動域を広げる）ことができる。
【００４９】
＜テーピングテープの変形例の形状、使用状態および作用効果＞
図１８に示す本実施形態に係るテーピングテープの変形例は、基本的には図１７に示したテーピングテープ１と同様の構成を備え、同様の効果を得ることができるが、外周部２ａの形状が図１７に示したテーピングテープと異なっている。すなわち、図１８に示したテーピングテープ１では、外周部２ａが曲線状になっている。また、図１８に示したテーピングテープ１は、股関節に対して後側から適用されており、股関節において後側（臀部側）に形成される皺（皮溝１２）に沿うように外周部２ａが配置された状態で皮膚に貼付されている。
【００５０】
また、図１８に示したテーピングテープ１において、曲線状の外周部２ａは、本体部分３側に凹んだ曲線状の形状を有し、たとえば円弧状である。この場合、円弧状の外周部２ａの曲率半径は４０ｍｍ以上８０ｍｍ以下としてもよい。
【００５１】
このようにしても、図１７に示したテーピングテープ１と同様に、股関節を動かしやすくする（あるいは可動域を広げる）ことができる。
【００５２】
図１９に示す本実施形態に係るテーピングテープの変形例は、基本的には図１７および図１８に示したテーピングテープ１と同様の構成を備え、同様の効果を得ることができるが、図１７に示したテーピングテープ１と図１８に示したテーピングテープ１とを接続部５３により接続している点が図１７および図１８に示したテーピングテープと異なっている。すなわち、図１９に示したテーピングテープでは、図１９および図２０に示すように、図１７に示したテーピングテープに対応するテープ部分５１の本体部分３の先端側と、図１８に示したテーピングテープに対応するテープ部分５２の本体部分３の先端側とが間隔を隔てて配置されるとともに、それぞれのテープ部分５１、５２の外周部２ａがほぼ同じ方向を向くようにテープ部分５１、５２が配置され、この状態でテープ部分５１の本体部分３の先端部とテープ部分５２の本体部分３の先端部とが接続部５３により接続されている。つまり、上記テーピングテープ１において接続部５３は、テープ部分５１のテープ基材の本体部分３と、テープ部分５２の他のテープ基材の他の本体部分３とを接続している。
【００５３】
この場合、テープ部分５１の外縁部分２とテープ部分５２における他の外縁部分２とを、図１９に示すようにそれぞれ異なる皺（皮溝１２）に隣接するように容易に配置することができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５５】
この発明は、関節を動きやすくする、あるいは関節の可動域を広げるために特に有利に適用される。
【符号の説明】
【００５６】
１  テーピングテープ、１ａ  テープ基材、１ｂ  粘着層、２  外縁部分、２ａ  外周部、３  本体部分、３ａ〜３ｃ  分岐部分、４  切り込み部、５，５ａ〜５ｅ  開口部、  １１  右肩、１２  皮溝、１３，１４  矢印、  ２０  テープ部材、２１，２３  分離部、２２  シート部材、２２ａ〜２２ｃ  シート部材部分、  ３１，３２，５１，５２  テープ部分、３３，３４，５３  接続部、  ４１  首。
【図１】
2017018247.tif 000003
【図２】
2017018247.tif 000004
【図３】
2017018247.tif 000005
【図４】
2017018247.tif 000006
【図５】
2017018247.tif 000007
【図６】
2017018247.tif 000008
【図７】
2017018247.tif 000009
【図８】
2017018247.tif 000010
【図９】
2017018247.tif 000011
【図１０】
2017018247.tif 000012
【図１１】
2017018247.tif 000013
【図１２】
2017018247.tif 000014
【図１３】
2017018247.tif 000015
【図１４】
2017018247.tif 000016
【図１５】
2017018247.tif 000017
【図１６】
2017018247.tif 000018
【図１７】
2017018247.tif 000019
【図１８】
2017018247.tif 000020
【図１９】
2017018247.tif 000021
【図２０】
2017018247.tif 000022